(57)【要約】【課題】テレビジョン受信機のブラウン管の左半面と右半面で横ピンクッション歪みの様子の異なる場合の歪み補正回路を提供することを目的とする。【解決手段】左半面の垂直方向のゲインコントロール特性の発生回路９と右半面の垂直方向のゲインコントロール特性の発生回路１０とを装置して、水平の補正ピーク点にて、ゲインコントロール特性をスイッチ４にて切り替えるようにして、よりフレキシブルで且つ精度の高い横ピンクッション歪み補正回路としたものである。【選択図】　図１
2004015788.tif 000002
【特許請求の範囲】
【請求項１】
テレビジョン受信機の横ピンクッション歪補正回路であって、ブラウン管左半面用の水平レート横ピンクッション歪補正に対する第１の垂直方向ゲインコントロール特性の発生回路と、ブラウン管右半面用の水平レート横ピンクッション歪補正に対する第２の垂直方向ゲインコントロール特性の発生回路と、前記第１の垂直方向ゲインコントロール特性と前記第２の垂直方向ゲインコントロール特性とを切り替える切り替え回路と、水平レート横ピンクッション歪補正波形の０レベル位置を検出する回路と、前記０レベル位置にて前記切り替え回路の切り替えタイミングを出力する回路とで構成されたことを特徴とする、テレビジョン受信機の横ピンクッション歪補正回路。
【請求項２】
異なる画面表示モードごとに水平レートの横ピンクッション歪補正波形を記憶する第１のメモリーと、前記異なる画面表示モードごとにブラウン管左半面用の水平レート横ピンクッション歪補正に対する第１の垂直方向ゲインコントロール特性を記憶する第２のメモリーと、前記異なる画面表示モードごとにブラウン管右半面用の水平レート横ピンクッション歪補正に対する第２の垂直方向ゲインコントロール特性を記憶する第３のメモリーとを装置したことを特徴とする請求項１記載のテレビジョン受信機の横ピンクッション歪補正回路。
【発明の詳細な説明】
【０００１】
【発明の属する技術分野】
本発明は、テレビジョン受信機の横ピンクッション歪み補正回路に関するものである。
【０００２】
【従来の技術】
従来における、テレビジョン受信機の横ピンクッション歪み補正回路の構成は、一例としてあげると、水平レートの横ピンクッション歪補正波形を、一個生成し、その補正のゲインを１種類の特性にて垂直方向にコントロールすることにより、垂直方向に異なる横ピンクッション歪み量への対応を実現するものとなっている。
【０００３】
【発明が解決しようとする課題】
しかしながら、従来の技術によればその横ピンクッション歪み補正の垂直方向のゲインコントロール特性は、ブラウン管画面全面に亘って、特に左右面の分布関係においてほぼ同一であるという前提に立って構成されている。
【０００４】
ブラウン管の幾何学的歪上からは、ほぼ同一の垂直方向のゲインコントロール特性にて問題はないが、偏向ヨークの磁界分布のアンバランス、ばらつきなどがあり、必ずしも生産上のすべてのテレビ受信機において、１種類の垂直方向ゲインコントロール特性では満足すべきものとはなっていない。
【０００５】
特に、平面ブラウン管、偏向角度の大きいブラウン管においてはその傾向が顕著である。
【０００６】
【課題を解決するための手段】
前記課題を解決するために本発明は、テレビジョン受信機の横ピンクッション歪補正回路であって、ブラウン管左半面用の水平レート横ピンクッション歪補正に対する第１の垂直方向ゲインコントロール特性の発生回路と、ブラウン管右半面用の水平レート横ピンクッション歪補正に対する第２の垂直方向ゲインコントロール特性の発生回路と、前記第１の垂直方向ゲインコントロール特性と前記第２の垂直方向ゲインコントロール特性とを切り替える切り替え回路と、水平レート横ピンクッション歪補正波形の０レベル位置を検出する回路と、前記０レベル位置にて前記切り替え回路の切り替えタイミングを出力する回路とで構成されたことを特徴とするものであり、さらに異なる画面表示モードごとに水平レートの横ピンクッション歪補正波形を記憶する第１のメモリーと、前記異なる画面表示モードごとにブラウン管左半面用の水平レート横ピンクッション歪補正に対する第１の垂直方向ゲインコントロール特性を記憶する第２のメモリーと、前記異なる画面表示モードごとにブラウン管右半面用の水平レート横ピンクッション歪補正に対する第２の垂直方向ゲインコントロール特性を記憶する第３のメモリーとを装置したことを特徴としたものである。
【０００７】
【発明の実施の形態】
本発明の請求項１に記載の発明は、テレビジョン受信機の横ピンクッション歪補正回路であって、ブラウン管左半面用の水平レート横ピンクッション歪補正に対する第１の垂直方向ゲインコントロール特性の発生回路と、ブラウン管右半面用の水平レート横ピンクッション歪補正に対する第２の垂直方向ゲインコントロール特性の発生回路と、前記第１の垂直方向ゲインコントロール特性と前記第２の垂直方向ゲインコントロール特性とを切り替える切り替え回路と、水平レート横ピンクッション歪補正波形の０レベル位置を検出する回路と、前記０レベル位置にて前記切り替え回路の切り替えタイミングを出力する回路とで構成されたことを特徴としたものであり、ブラウン管の左半面の横ピンクッション歪補正の垂直方向のゲインコントロール特性と、ブラウン管の右半面の横ピンクッション歪補正の垂直方向のゲインコントロール特性とを独立して制御できるという作用を有する。
【０００８】
本発明の請求項２に記載の発明は、異なる画面表示モードごとに水平レートの横ピンクッション歪補正波形を記憶する第１のメモリーと、前記異なる画面表示モードごとにブラウン管左半面用の水平レート横ピンクッション歪補正に対する第１の垂直方向ゲインコントロール特性を記憶する第２のメモリーと、前記異なる画面表示モードごとにブラウン管右半面用の水平レート横ピンクッション歪補正に対する第２の垂直方向ゲインコントロール特性を記憶する第３のメモリーとを装置したことを特徴としたものであり、より補正をフレキシブル且つ精度よく行うことができるとともに、各表示モードごとに最適の補正特性を提供できるという作用を有する。
【０００９】
以下本発明の実施の形態について、図１、図２、図３を用いて説明する。
【００１０】
（実施の携帯１）
図１は、本発明の位置実施の形態におけるテレビジョン受信機の横ピンクッション歪補正回路のブロック構成図である。
【００１１】
図１において、点線で囲まれたブロックＡを削除した構成が請求項１の実施例である。
【００１２】
ブロックＡを追加してすべてを使用してなる構成が請求項２の実施例である。
【００１３】
図２はブラウン管面における横ピンクッション歪の様子と、それを補正する水平方向の補正波形と垂直方向のゲインコントロール特性を示している。
【００１４】
図２の（ａ）は、ブラウン管の左半面と右半面のゲインコントロール特性が相似形の横ピンクッション歪を持っている場合の管面の歪のイメージ図と、その時の水平方向の補正波形と垂直方向のゲインコントロール特性を示している。
【００１５】
図２の（ｂ）は、ブラウン管の左半面と右半面のゲインコントロール特性が異なる横ピンクッション歪を持っている場合の管面の歪のイメージ図と、その時の水平方向の補正波形と垂直方向のゲインコントロール特性を示している。
【００１６】
図３は、垂直偏向電流に横ピンクッション歪補正波形が重畳されている様子を模式的に示している。
【００１７】
図１において、１は水平レートの補正波形の発生回路である。２は、水平レート補正波形の０レベルの水平レート内での位置を検出する回路である。３は０ベル位置にて切り替え信号を発生する回路である。４は垂直方向のゲインコントロール特性を切り替える回路である。５は、垂直方向に横ピンクッション歪補正のゲインをコントロールする回路である。６は垂直出力回路である。７はブラウン管である。８は偏向ヨーク（ＤＹ）である。９はブラウン管左半面の垂直方向のゲインコントロール特性の発生回路である。１０はブラウン管右半面の垂直方向のゲインコントロール特性の発生回路である。１１、１２、１３はメモリーである。
【００１８】
図１、２、３を用いてその動作を説明する。
【００１９】
まず、従来の補正回路の動作を説明する。図２の（ａ）に横ピンクッション歪みの様子を示している。この歪みを補正するには、図３のように垂直偏向電流に水平レートの補正波形を重畳させて行う。
【００２０】
その波形は一般的に、図２の（ａ）に示すようにパラボラをべースとした形であり、これに各種制御を施して所望の波形を生成する。
【００２１】
この役割を果たすのが、図１の上部の水平レート補正波形発生回路１である。垂直方向の横ピンクッションの変化への対応は、ほぼ形が相似形であるという前提にて、１個の水平レートの補正波形を垂直方向にゲインコントロールすることにより実現している。
【００２２】
図１において、上部の水平レート補正波形発生回路１からの出力を垂直方向のゲインコントロール回路５に入力し、トータルの横ピンクッション歪み補正波形を生成している。これを、垂直出力回路６に入力して垂直偏向電流に重畳して、図３に示す波形を得ている。このようにして、従来は横ピンクッション歪み補正を実現している。
【００２３】
次に、請求項１に記載の発明について説明する。
【００２４】
近年のブラウン管の平面化、偏向角度の増大に伴い、偏向ヨークの磁界分布のアンバランス、ばらつき等による歪みの不均一化が管面に現れやすい状況となっており、たとえば図２の（ｂ）に示すような水平レートの横ピンクッション歪のピークが水平センターよりずれており且つ、横ピンクッション歪量の垂直方向の変化具合がブラウン管の左半面と右半面で異なる場合を考える。
【００２５】
例として、左半面の上半分の横ピンクッションの垂直方向の変化具合が他の３面と異なる場合を想定して、図２（ｂ）は作図されている。このとき、１個の垂直方向のゲインコントロール特性では左半面も右半面も同様に補正されてしまい、ブラウン管全面に亘った正しい補正が実現されない。このような、歪分布アンバラ時の補正精度を向上させるため本発明では、２個の垂直方向のゲインコントロール特性を準備している。
【００２６】
左半面歪と右半面歪に対する、それぞれのゲインコントロール特性を、図２（ｂ）の管面歪イメージ図の左右に作図している。それぞれの歪補正波形は、図１の左半面の垂直方向ゲインコントロール特性発生回路９と右半面の垂直方向ゲインコントロール特性発生回路１０とにより生成される。
【００２７】
このような歪分布に対して、水平期間にてその補正ゲインコントロール特性を切り替える場合、その切り替わり点が連続となるためには、その切り替わりは必ず補正レベル０のポイントにて行われなくてはならない。
【００２８】
本発明に使用する水平レートの横ピンクッション歪補正波形は、水平期間のほぼセンター付近に存在する補正ピークが常に０となるような回路構成がなされている。
【００２９】
一実現例としては、最大値を０レベルにクランプする回路構成を採用している。
【００３０】
実際の補正波形では、図２（ｂ）に示すように補正波形ピークが水平期間センター付近にくるとは限らないので、０レベル位置の検出回路が必用であり、図１の０レベル位置検出回路２にて、それをおこなう。
【００３１】
上記回路にて検出された、０レベル位置にて垂直方向のゲインコントロール特性を切り替えられるよう、切り替え信号発生回路８より該タイミングの切り替えパルスを発生させる。
【００３２】
切り替えパルスは、垂直方向ゲインコントロール特性切り替え回路４に入力され、左半面の垂直方向ゲインコントロール特性発生回路９からの出力と、右半面の垂直方向ゲインコントロール特性発生回路１０からの出力を切り替える。
【００３３】
このようにしてそれぞれブラウン管の左半面と右半面に最適な垂直方向のゲインコントロールが実現できる。
【００３４】
次に請求項２に記載の発明について説明する
本発明は、図１において請求項１に記載の発明に追加して、点線で囲まれたブロックＡの内容を追加したものである。ブロックＡのなかには、メモリー１１、１２、１３が装置されている。
【００３５】
これらのメモリーはそれぞれ、メモリー１１は横ピンクッション水平レートの補正波形を記憶しているメモリーであり、メモリー１２はブラウン管の左半面の垂直方向のゲインコントロール特性を記憶しているメモリーであり、メモリー１３はブラウン管の右半面の垂直方向のゲインコントロール特性を記憶しているメモリーである。
【００３６】
これらのメモリーを装置することによりそれぞれの補正波形をフレキシブルに作成し、且つ記憶することができる
これにより、従来に増してよりフレキシブル且つ精度の高い横ピンクッション歪み補正が実現できる
また、画面表示モードが異なる場合においても、それぞれの画面表示モードに対応した波形を生成且つ記憶することができる
これにより、画面表示モードが異なる場合においても、よりフレキシブル且つ精度の高い横ピンクッション歪み補正が実現できる。
【００３７】
【発明の効果】
以上のように、本発明のテレビジョン受信機の横ピンクッション歪補正回路によれば、ブラウン管左半面用の水平レート横ピンクッション歪補正に対する第１の垂直方向ゲインコントロール特性の発生回路と、ブラウン管右半面用の水平レート横ピンクッション歪補正に対する第２の垂直方向ゲインコントロール特性の発生回路と、前記第１の垂直方向ゲインコントロール特性と前記第２の垂直方向ゲインコントロール特性とを切り替える切り替え回路と、水平レート横ピンクッション歪補正波形の０レベル位置を検出する回路と、前記０レベル位置にて前記切り替え回路の切り替えタイミングを出力する回路とで構成され、それに加えて異なる画面表示モードごとに水平レートの横ピンクッション歪補正波形を記憶する第１のメモリーと、前記異なる画面表示モードごとにブラウン管左半面用の水平レート横ピンクッション歪補正に対する第１の垂直方向ゲインコントロール特性を記憶する第２のメモリーと、前記異なる画面表示モードごとにブラウン管右半面用の水平レート横ピンクッション歪補正に対する第２の垂直方向ゲインコントロール特性を記憶する第３のメモリーとを装置したことで、よりフレキシブル且つ精度の高い横ピンクッション歪を、画面表示モードによらず実現することが出来る。
【図面の簡単な説明】
【図１】本発明の一実施の形態におけるテレビジョン受信機の横ピンクッション歪み補正回路のブロック構成図
【図２】ブラウン管面における横ピンクッション歪みの様子と、それを補正する水平方向の補正波形と垂直方向のゲインコントロールを示しているイメージ図
【図３】垂直偏向電流に横ピンクッション歪み補正波形が重畳されている様子を、模式的に示しているイメージ図
【符号の説明】
１　水平レートの補正波形の発生回路
２　０レベル位置の検出回路。
３　０レベル位置による切り替え信号の発生回路
４　垂直方向のゲインコントロール特性の切り替え回路
５　垂直方向のゲインコントロール回路
６　垂直出力回路
７　ブラウン管
８　偏向ヨーク
９　ブラウン管左半面の垂直方向のゲインコントロール特性の発生回路
１０　ブラウン管右半面の垂直方向のゲインコントロール特性の発生回路
１１　メモリー
１２　メモリー
１３　メモリー
【図１】
2004015788.tif 000003
【図２】
2004015788.tif 000004
【図３】
2004015788.tif 000005